【事件の表示】
　特願２００９−１３９７９４号「パチンコ遊技機」拒絶査定不服審判事件〔平成２２年１２月２４日出願公開、特開２０１０−２８４２９２号〕について、次のとおり審決する。
【結　論】
　本件審判の請求は、成り立たない。
【理　由】
１　手続の経緯の概要
　本願は、平成２１年６月１１日の出願であって、平成２４年２月２０日付けで拒絶の理由が通知され、同年４月２０日に意見書及び手続補正書が提出されところ、平成２５年１月３１日付けで最後の拒絶の理由が通知され、同年４月４日に意見書及び手続補正書が提出されたところ、同年１０月１７日付けで同年４月４日に提出された手続補正書でした補正の却下の決定がなされ、同日付けで拒絶査定がなされ（発送日：同年１０月２１日）、それに対し、平成２６年１月１７日に拒絶査定不服審判の請求がなされると同時に明細書及び特許請求の範囲に係る手続補正がなされ、当審にて、同年１２月２５日付けで拒絶理由を通知したところ、同年３月６日に意見書及び手続補正書が提出され、当審にてさらに、平成２７年５月１２日付けで拒絶理由を通知したところ、同年７月９日に意見書及び手続補正書が提出されたものである。
　
２　本願発明
　本願の請求項１に係る発明（以下「本願発明」という。）は、平成２７年７月９日付け手続補正書により補正された特許請求の範囲の請求項１に記載された事項により特定される次のとおりのものである。
「遊技ホールの島設備における設置枠台に対して所定角度傾斜して固定されるとともに、
上面板、一対の側面板及び下面板から成る外枠と、
　該外枠に揺動可能に設けられた内枠と、
　該内枠に揺動可能に設けられ、遊技盤、ハンドル及び受け皿等が形成されたガラス枠ユニットと、
を具備したパチンコ遊技機において、
　前記外枠は、紐状部材の先端に錘を吊して成る錘手段を取り付け可能とされるとともに、当該外枠を前後方向に対して所定の傾斜角度とした際に自重で垂れ下がった前記錘の位置と合致する角度目印が前記下面板に形成されるものとされ、当該角度目印は、傾斜角度が種々異なるパチンコ遊技機に対応して当該下面板における延設方向の一端から他端に亘って形成され、且つ、傾斜角度に応じて色分け又は線種を異ならせた複数の直線から成り、自重で垂れ下がった前記錘を任意の角度目印に合致させることにより前記外枠を所望の角度傾斜に設定可能とされ、且つ、前記錘は、その先端が尖って形成されたことを特徴とするパチンコ遊技機。」
　
３　刊行物の記載
　平成２７年５月１２日付けの当審における拒絶の理由に刊行物１として提示された特開２００２−２３３６５２号公報（以下「刊行物」という。）には、図面とともに以下の事項が記載されている（下線は審決で付した。以下同じ。）。
　ア　「【０００１】
【発明の属する技術分野】本発明は、パチンコ機設置島にパチンコ機を取り付けるに際し、設置島に設置されるパチンコ機外枠の、設置島に対する取り付け傾斜量測定手段を備えたパチンコ機に関するものである。」
　
　イ　「【０００５】
【発明が解決しようとする課題】ところで、上述した傾斜測定器を有するパチンコ機の発明では、設置島に取り付ける外枠の傾斜を所定の傾斜量に調節することに関しては効果的であったが、取り付けられるそれぞれの外枠ごとに個別の傾斜測定器が必要であったり、あるいは傾斜測定器に複数の測定計を設けることが必要であり、経済的な負担を軽減することができないという欠点があった。
【０００６】そこで、本発明は、上記課題に鑑みてなされたものであり、パチンコ機設置島に対してパチンコ機の外枠の傾斜を所定の傾斜量に調整して設置することができるとともに、傾斜量の調整を行う傾斜測定器に要する経費を軽減することができ、また、作業者が熟練を要していなくても容易に傾斜量の調整を行うことができる傾斜量測定手段を備えたパチンコ機の提供を目的とするものである。」
　
　ウ　「【００１２】
【発明の実施の形態】以下、本発明に係るパチンコ機の実施の形態を添付図面に基づいて説明する。図１は、パチンコ機設置島に取り付けられたパチンコ機を示す正面図である。図に示すように、
パチンコホールに設置されているパチンコ機１
【００１３】図２には、
パチンコ機設置島１０に取り付けられるパチンコ機１
四角状に成形される外枠２と
外枠２の開口部をふさぐように外枠２の前面側に配設される前枠３とから
構成されている
前枠
の前面側
には、中央部から上部にかけて配置される遊技領域、遊技領域を覆う前面ガラス、遊技球を遊技領域へ打出すためのハンドル、遊技球が排出される上受け皿及び下受け皿等が設けられ
【００１４】
前枠
は
外枠２に対して開閉可能に取り付けられている
【００１５】パチンコ機１が設置島１０に取り付けられる場合には、先ず、外枠２が設置島１０に取り付けられ、その後、前枠８が外枠２に取り付けられるという手順をふむ。このとき外枠２は設置島１０に対して前後方向に一定の傾斜量を有した状態で取り付けられる。詳しくは、図４に示すように、
設置島１０を構成しているカウンター１１面
カウンター１１面の垂直方向に対して後方へ傾斜するように
取り付けられる
【００１６】図５は、設置島１０に取り付けられる外枠２の取付傾斜量を測定する傾斜量測定手段の一形態を示す図である。この図においては、説明を理解し易くするために外枠２の開口部下側の一部を覆う下前面枠７を取り外した状態としている。傾斜量測定手段は、
外枠２を構成する上側枠３の前面中央部に形成された溝１５と
外枠２を構成する下側枠７の表面に設けられた目盛１９
溝１５に係着して外枠２を構成する下側枠７の近傍まで垂らされる糸１６の他端に取り付けられた傾斜量指示部材１８と
【００１７】糸１６は、その一端が上側枠３上に設けられた止着部材１７に止着される。この止着部材１７は、例えば、釘やネジ等のように簡単に糸を止着することができる部材であればよい。糸１６は上側枠３の前面部に形成された溝１５に係着された後、傾斜量指示部材１８の自重により下側枠７方向に鉛直に垂らされる。溝１５の形成される位置は上側枠３の前面部のいずれの位置であってもよいが、後述する下側枠７に設けられる目盛１９を読み取る都合上、略前面中央部であることが望ましい。溝１５は、糸１６が上側枠３の前面上を移動しないよう固定するために形成されるものであり、その形状は図６に示すような逆Ｖ字形状、あるいは図示は省略するが矩形状、Ｕ字状等であってもよい。
【００１８】下側枠７方向に鉛直に垂れた糸１６の端部に取り付けられた
傾斜量指示部材１８は
下側枠７に設けられる目盛１９を指示する部材である
重り
であり
逆円錐形状を有し
【００１９】下側枠７上には目盛１９が設けられている。
目盛１９は、外枠２の傾斜量の大きさを示すものであり、上側枠３から鉛直に垂れるように糸１６の端部に取り付けられた傾斜量指示部材１８の先端部近傍に設けられる
【００２０】図７は、図５のＥ―Ｅ線における断面図であり、外枠２を水平面（カウンター１１）の鉛直方向に対して直線距離Ｘ傾斜させた状態を示している。糸１６は上側枠３から鉛直方向に垂れ、
糸１６の端部に取り付けられた傾斜量指示部材１８の先端部は、下側枠７上に貼り付けられている目盛１９の、直線距離Ｘに対応する位置を指示する
下側枠７上に張り付けられた目盛１９（シール材）を示す
外枠２の傾斜量に対応する直線距離Ｘ値（１０.５ｍｍ、１２ｍｍ、１３.５ｍｍ…）をシール材上に表記することにより容易に傾斜量を認識することができる
この外枠２の傾斜量は一般的に１３.５ｍｍが標準とされている
【００２１】
【発明の効果】本発明に係るパチンコ機によれば、止着部材に止着した糸を溝部に係着し、糸の端部に取り付けた傾斜量指示部材を鉛直方向に垂らすという簡単な作業によりパチンコ機への傾斜量測定器（糸と傾斜量指示部材）の設置が可能である。また、設置島に取り付けられる
外枠の傾斜量は、下側枠上に設けられた目盛値に対応している
【００２２】また、傾斜量調整手段の構成が簡単で、各パチンコ機ごとに必要となる傾斜量調整手段の構成部材は、下側枠に設ける目盛と上側枠に形成する溝のみであり、傾斜量測定器は同一のものを共通して使用することができるので、傾斜量調整手段に要する経費を大幅に軽減することができる。
　
　エ　上記ウの【００１３】の記載事項及び【図３】の図示内容によると、
前面に遊技領域が形成される遊技盤が
前枠８
に設けられている
　
　オ　上記ウの【００１６】の記載事項及び【図５】の図示内容によると、「
目盛１９
下側枠７の表面に下側枠７
　
　上記ア〜ウの記載事項、及び、上記エ及びオの認定事項を総合すると、刊行物には、次の発明が記載されていると認められる（以下「刊行物発明」という。）。
「パチンコホールのパチンコ機設置島１０を構成しているカウンター１１面の垂直方向に対して後方へ傾斜するように取り付けられ、
　四角状に成形される外枠２と、
　外枠２の開口部をふさぐように外枠２の前面側に配設され、外枠２に対して開閉可能に取り付けられている前枠３と
　から構成され、
　前面側には、遊技球を遊技領域へ打出すためのハンドル、遊技球が排出される上受け皿及び下受け皿、遊技領域を覆う前面ガラス等が設けられると共に、遊技盤が設けられた前枠を備えたパチンコ機１において、
　外枠２を構成する上側枠３の前面中央部に形成された溝１５に係着されて、外枠２を構成する下側枠７の近傍まで鉛直に垂らされる糸１６の他端に、重りである傾斜量指示部材１８が取り付け可能とされ、
　目盛１９は、
　　傾斜量指示部材１８の先端部近傍である下側枠７の表面に設けられ、
　　外枠２の傾斜量の大きさを示し、
　　その目盛値が外枠２の各傾斜量に対応するものであり、
　　下側枠７の表面に下側枠７の延設方向に形成され、
　傾斜量指示部材１８の先端部は、目盛１９の傾斜量に対応する位置を指示するものであり、
　　目盛１９（シール材）として、外枠２の傾斜量に対応する直線距離Ｘ値（１０.５ｍｍ、１２ｍｍ、１３.５ｍｍ…）を表記することにより容易に傾斜量を認識することができ、外枠２の傾斜量は一般的に１３.５ｍｍが標準とされており、
　傾斜量指示部材１８は、
　　目盛１９を指示する部材であり、
　　逆円錐形状を有する
パチンコ機１。」
　
４　対比
　本願発明と刊行物発明とを対比する。
　ア　刊行物発明における「パチンコホールのパチンコ機設置島１０を構成しているカウンター１１面の垂直方向に対して後方へ傾斜するように取り付けられ」ることと、本願発明における「遊技ホールの島設備における設置枠台に対して所定角度傾斜して固定される」こととを対比する。
　刊行物発明における「パチンコホール」、「パチンコ機設置島１０」、及び、「カウンター１１面」は、それぞれ、本願発明における「遊技ホール」、「島設備」、及び、「設置枠台」に相当する。
　そうすると、刊行物発明における「カウンター１１面の垂直方向に対して後方へ傾斜するように取り付けられ」ることは、本願発明における「設置枠台に対して所定角度傾斜して固定される」ことに相当する。
　したがって、刊行物発明における「パチンコホールのパチンコ機設置島１０を構成しているカウンター１１面の垂直方向に対して後方へ傾斜するように取り付けられ」ることは、本願発明における「遊技ホールの島設備における設置枠台に対して所定角度傾斜して固定される」ことに相当する。
　
　イ　刊行物発明における「四角状に成形される外枠２」は、上側枠３及び下側枠７を含み、四角状に成形されるものであるから、上側枠３と下側枠７とを連結する側面枠を有するものである。
　そうすると、刊行物発明における「四角状に成形される外枠２」は、本願発明における「上面板、一対の側面板及び下面板から成る外枠」に相当する。
　
　ウ　刊行物発明における「前面側に、遊技球を遊技領域へ打出すためのハンドル、遊技球が排出される上受け皿及び下受け皿、遊技領域を覆う前面ガラス等が設けられると共に、遊技盤が設けられた前枠３」と、本願発明における「内枠に揺動可能に設けられ、遊技盤、ハンドル及び受け皿等が形成されたガラス枠ユニット」とを対比する。
　刊行物発明における「遊技球を遊技領域へ打出すためのハンドル」及び「遊技球が排出される上受け皿及び下受け皿」は、それぞれ、本願発明における、「ハンドル」及び「受け皿」に相当する。
　そして、刊行物発明の「前枠３」は、前面ガラスを有するものであるから、前面ガラスに加えて、ハンドル、受け皿を含めて有する「ガラス枠ユニット」であるといえる。
　したがって、刊行物発明における「前枠３」と、本願発明における「ガラス枠ユニット」とは、刊行物発明における「前枠３」には、前面ガラスが設けられることから、両者は、「遊技盤、ハンドル及び受け皿等が形成されたガラス枠ユニット」であることで共通する。
　
　エ　刊行物発明における「パチンコ機１」は、本願発明における「パチンコ遊技機」に相当する。
　
　オ　刊行物発明における「外枠２を構成する上側枠３の前面中央部に形成された溝１５に係着されて、外枠２を構成する下側枠７の近傍まで鉛直に垂らされる糸１６の他端に、重りである傾斜量指示部材１８が取り付け可能とされ」ることと、本願発明における「外枠は、紐状部材の先端に錘を吊して成る錘手段を取り付け可能とされる」こととを対比する。
　刊行物発明における「糸１６の他端」、「重りである傾斜量指示部材１８が取り付けられ」ること、及び、「垂らされる」ことは、それぞれ、本願発明における「紐状部材の先端」、「錘を吊して成る」ことに相当する。そして、刊行物発明における「糸１６」に「傾斜量指示部材１８」を取り付けたものは、本願発明における「錘手段」に相当する。
　そして、刊行物発明の「錘手段」を構成する「糸１６」は、「外枠２」に「溝１５」を介して係着されることから、刊行物発明は、本願発明の「外枠は」「錘手段を取り付け可能とされる」構成を有するものである。
　したがって、刊行物発明における「外枠２を構成する上側枠３の前面中央部に形成された溝１５に係着されて、外枠２を構成する下側枠７の近傍まで鉛直に垂らされる糸１６の他端に、重りである傾斜量指示部材１８が取り付けられ」ることは、本願発明における「外枠は、紐状部材の先端に錘を吊して成る錘手段を取り付け可能とされる」ことに相当する。
　
　カ　刊行物発明における「目盛１９は、傾斜量指示部材１８の先端部近傍である下側枠７の表面に設けられ、外枠２の傾斜量の大きさを示し、その目盛値が外枠２の各傾斜量に対応するものであ」ることと、本願発明における「外枠を前後方向に対して所定の傾斜角度とした際に自重で垂れ下がった錘の位置と合致する角度目印が下面板に形成される」こととを対比する。
　刊行物発明における「目盛１９」は、外枠２が後方へどれだけ傾斜しているか、すなわち、外枠２の傾斜量の大きさである傾斜角度を示す目印であるから、本願発明の「角度目印」に相当する。
　そして、刊行物発明における「下側枠７の表面に設けられ」ることは、本願発明における「下面板に形成される」ことに相当する。
　また、刊行物発明における「目盛１９」を構成する各「目盛値」は、「外枠２の傾斜量に対応するものであ」る。
　したがって、刊行物発明において、外枠２を所定の傾斜量だけ傾けて、外枠２の傾きを所定の傾斜角度とした場合に、「傾斜量指示部材１８の先端部」が目盛１９の傾斜量に対応する（合致する）位置にある目盛値を指示するものである。
　ゆえに、刊行物発明の「目盛１９」は、本願発明の「外枠を前後方向に対して所定の傾斜角度とした際に」「錘の位置と合致する角度目印」に相当する。
　さらに、刊行物発明における「傾斜量指示部材１８」は、「鉛直に垂らされる糸１６」の端に取り付けられた重りであることから、自重により鉛直下方に垂れ下がるものである。
　よって、刊行物発明における「目盛１９は、下側枠７の表面に設けられ、外枠２の傾斜量の大きさを示し、傾斜量指示部材１８の先端部近傍に設けられ、その目盛値が外枠２の傾斜量に対応するものであ」ることは、本願発明における「外枠を前後方向に対して所定の傾斜角度とした際に自重で垂れ下がった錘の位置と合致する角度目印が下面板に形成される」ことに相当する。
　
　キ　刊行物発明における「目盛１９は」、「下側枠７の表面に下側枠７の延設方向に形成され」ることと本願発明における「角度目印は、傾斜角度が種々異なるパチンコ遊技機に対応して下面板における延設方向の一端から他端に亘って形成され、且つ、傾斜角度に応じて色分け又は線種を異ならせた複数の直線から成」ることとを対比する。
　刊行物発明における「目盛１９」は、上記カにおいて検討したように、外枠２の傾斜角度を示す目印であり、また、「傾斜量に対応する直線距離Ｘ値（１０.５ｍｍ、１２ｍｍ、１３.５ｍｍ…）を表記」することにより、外枠２の傾斜角度を認識可能とするものである。
　したがって、両者は、「角度目印は、下面板における延設方向に形成され、且つ、傾斜角度に応じて識別可能であ」ることで共通する。
　
　ク　刊行物発明における「傾斜量指示部材１８の先端部」は、「目盛１９を指示する部材であ」る。
　また、目盛１９の各「目盛値が外枠２の傾斜量に対応するものであ」る。
　したがって、「傾斜量指示部材１８の先端部」は、目盛１９のうち、外枠２の傾斜量に対応するいずれかの目盛値であるといえる。すなわち、刊行物発明は、外枠２の傾斜量に対応する目盛値を傾斜量指示部材１８の先端が指示するように、外枠２の傾きを調節することにより、目的とする外枠２の傾斜角度を設定可能とするものである。
　ゆえに、刊行物発明は、本願発明の「自重で垂れ下がった錘を任意の角度目印に合致させることにより外枠を所望の角度傾斜に設定可能とされ」る構成を有するものである。
　
　ケ　刊行物発明における「傾斜量指示部材１８は」「逆円錐形状を有する」ことは、本願発明の「錘は、その先端が尖って形成された」ことに相当する。
　
　コ　上記ア〜ケより、本願発明と刊行物発明とは、
「遊技ホールの島設備における設置枠台に対して所定角度傾斜して固定されるとともに、上面板、一対の側面板及び下面板から成る外枠と、
　遊技盤、ハンドル及び受け皿等が形成されたガラス枠ユニットを具備したパチンコ遊技機において、
　前記外枠は、紐状部材の先端に錘を吊して成る錘手段を取り付け可能とされるとともに、当該外枠を前後方向に対して所定の傾斜角度とした際に自重で垂れ下がった前記錘の位置と合致する角度目印が前記下面板に形成されるものとされ、当該角度目印は、当該下面板における延設方向に形成され、且つ、傾斜角度に応じて識別可能であり、自重で垂れ下がった前記錘を任意の角度目印に合致させることにより前記外枠を所望の角度傾斜に設定可能とされ、且つ、前記錘は、その先端が尖って形成されたパチンコ遊技機。」
　の点で一致し、以下の点で相違する。
　
［相違点１］
　ガラス枠ユニットに関して、
　本願発明は、外枠に揺動可能に設けられた内枠に揺動可能に設けられるのに対して、
　刊行物発明は、外枠２の開口部をふさぐように外枠２の前面側に配設されたものである点。
　
［相違点２］
　下面板に形成される角度目印に関して、
　本願発明は、「傾斜角度が種々異なるパチンコ遊技機に対応して下面板における延設方向の一端から他端に亘って形成され、且つ、傾斜角度に応じて色分け又は線種を異ならせた複数の直線から成」る目印であるのに対して、
　刊行物発明は、目盛１９が下側枠７の表面に下側枠７の延設方向に形成される目印であるが、本願発明の上記構成を有しない点。
　
５　当審の判断
（１）相違点１について
　上記相違点１について検討する。
　遊技機の技術分野において、内枠を外枠に揺動可能に設け、さらに、ガラス枠ユニットを内枠に揺動可能に設けることは、本願出願前に周知の技術事項である（例えば、特開２００６−１４９５４０号公報の【００１９】、【図１】には、内枠２０１を外枠１００に開閉自在に設け、さらに、ガラス枠ユニット２０２を内枠２０１に開閉自在に設けたことが記載され、特開２００３−１５４１３６号公報の【０００９】、【図２】には、内枠２を外枠３に開閉自在に枢着し、ガラス枠ユニット５を内枠２に開閉可能に枢着したことが記載されている。以下、「周知の技術事項１」という。）。
　したがって、刊行物発明において、前枠３を外枠２の前面側に配設するに際し、上記周知の技術事項１に倣って、外枠２と前枠３との間に内枠を介在させて、外枠２に揺動可能に内枠を設け、その内枠に揺動可能に前枠３を取り付けることにより、上記相違点１に係る本願発明の構成とすることは当業者が必要に応じてなし得たものである。
　
（２）相違点２について
　上記相違点２について検討する。
　刊行物発明は、「傾斜量指示部材１８」が、「外枠２を構成する上側枠３の前面中央部に形成された溝１５に係着され」るものである。
　そして、刊行物発明は、「傾斜量指示部材１８の先端部」は、外枠２の傾斜量に対応する目盛１９の位置を指示するように、外枠２の傾きを調節することにより、外枠２の傾斜角度を設定するものである。
　また、刊行物１には、「溝１５の形成される位置は上側枠３の前面部のいずれの位置であってもよい」（【００１７】）ことが示唆されている。
　この記載は、刊行物発明の傾斜量指示部材１８を係着する溝１５を、上側枠３の幅方向のいずれの位置に形成してもよりことを示唆するものである。
　さらに、位置合わせを行う技術分野において、作業効率を向上させるために角度目印を被対象物の一端から他端に亘って形成することは、本願出願前に周知の技術事項である（例えば、実願昭５８−１１０５４９号のマイクロフィルム（実開昭６０−１７８５２号公報）には、傾斜角が判る線状の目印を被対象物の一端から他端に亘って形成することが記載され、実願５４−１６５５０９号のマイクロフィルム（実開昭５６−８２３８４号公報）には、本体に対して平行方向にラインを一定角度毎に施したことが記載されている。以下、「周知の技術事項２」という。）。
　したがって、刊行物発明において、傾斜量指示部材１８を、外枠２を構成する上側枠３の前面部のどの位置に設けるかは、当業者が遊技機の構成等を考慮して適宜なし得たものであるから、傾斜量指示部材１８を上面枠３の任意の位置に設けることができるように、上記周知の技術事項２に倣って、角度目印を下面板における延設方向の一端から他端に亘って形成し、作業効率を向上させることは、当業者が必要に応じてなし得たものである。
　
　ところで、刊行物発明のパチンコ機１は、パチンコ機設置島１０に取り付けられるものである。 
　そして、遊技機の技術分野において、外枠の設置に際し、外枠の傾斜角度を機種に対応して設定することは本願出願前に周知の技術事項である（例えば、平成２７年５月１２日付けの当審による拒絶理由において提示された刊行物２（特開平１０−１７９９０２号公報）には、
パチンコ機設置島に取り付けられるパチンコ機が、同一メーカの同一機種のパチンコ機Ｐであり
パチンコ機Ｐの外枠Ａを設置枠台２０に適正な傾きを設定保持して固定する
パチンコ遊技機の機種によってそれぞれ傾斜角度が設定されている
　さらに、位置合わせを行う技術分野において、作業効率を向上させるために、角度目印を傾斜角度に応じて識別可能となるように色分け又は線種を異ならせた複数の直線から構成することは、本願出願前に周知の技術事項である（例えば、上記実願昭５８−１１０５４９号のマイクロフィルム（実開昭６０−１７８５２号公報）には、線状の目印を区別できるように線の種類を変えることが記載され、実願５７−４８３６４号のマイクロフィルム（実開５８−１５０６８８号公報）には、配管用パイプに基準線を数本入れる場合に、色分け等の区別をすると作業時にまちがいが少なくなることが記載されている。以下、「周知の技術事項４」という。）。
　したがって、刊行物発明において、パチンコ機１をパチンコ機設置島１０に取り付けるに際し、上記周知の技術事項３及び４を適用して、角度目印の直線距離Ｘ値（１０.５ｍｍ、１２ｍｍ、１３.５ｍｍ…）を機種に対応させるとともに、角度目印を傾斜角度に応じて色分け又は線種を異ならせた複数の直線から成る目印とすることは、当業者が適宜なし得たものである。
　
　よって、刊行物発明に、周知の技術事項２〜４を適用することにより、上記相違点２に係る本願発明の構成とすることは、当業者が容易になし得たものである。
　
（３）小括
　上記（１）〜（２）において検討したように、本願発明は、当業者が刊行物発明及び周知の技術事項に基づいて容易に発明をすることができたものである。
　そして、本願発明によってもたらされる効果を全体としてみても、刊行物発明及び周知の技術事項から当業者が当然に予測できる程度のものであって、格別顕著なものとはいえない。
　
６　むすび
　以上のとおりであるから、本願発明は、特許法第２９条第２項の規定により特許を受けることができない。
　したがって、本願は拒絶すべきものである。
　
　よって、結論のとおり審決する。